(57)【要約】【課題】各警備対象施設に設置された警備装置を利用して警備対象施設間を移動する移動者の安全を監視する。【解決手段】第１の警備対象に設けられた第１の警備装置と第２の警備対象に設けられた第２の警備装置と、これらの警備装置を監視する監視センタを有し、第１の警備装置は、対象者が外出する際に、行先情報とＩＤ情報を通信網を介して監視センタに送信し、第２の警備装置は、対象者のＩＤを読みとると該対象者のＩＤ情報を通信網を介して監視センタに送信し、監視センタは、前記第１の警備装置から対象者の行先情報とＩＤ情報を受信すると所定時間の計時を行ない、計時中に第２の警備装置から当該対象者のＩＤ情報を受信したか否かを判定する。【選択図】図１
2006018526.tif 000002
【特許請求の範囲】
【請求項１】
第１の警備対象に設けられた第１の警備装置と第２の警備対象に設けられた第２の警備装置と、これらの警備装置を監視する監視センタからなる警備システムにおいて、
前記第１の警備装置は、対象者が外出する際に行なう操作あるいは対象者の外出動作を検知する外出検知手段と、
当該対象者のＩＤを読み取るＩＤ読取手段と、
当該対象者の行先を設定する行先設定手段と、前記対象者が外出する際に、行先情報とＩＤ情報を通信網を介して前記監視センタに送信する制御手段とを有し、
前記第２の警備装置は、対象者のＩＤを読み取るＩＤ読取手段と、前記ＩＤ読取手段にて当該対象者のＩＤを読みとると該対象者のＩＤ情報を通信網を介して前記監視センタに送信する送信手段とを有し、
前記監視センタは、前記第１の警備装置及び前記第２の警備装置からの信号を受信する受信手段と、前記第１の警備装置から対象者の行先情報とＩＤ情報を受信すると起動する計時手段と、前記計時手段が所定時間の計時を行っている間に前記第２の警備装置から当該対象者のＩＤ情報を受信したか否かを判定する制御手段を有したことを特徴とする警備システム。
【請求項２】
前記計時手段は、前記行先情報に基づいて所定時間を設定することを特徴とした請求項１記載の警備システム。
【請求項３】
第１の警備対象に設けられた第１の警備装置と第２の警備対象に設けられた第２の警備装置と、これらの警備装置を監視する監視センタからなる警備システムにおいて、
前記第１及び第２の警備装置は、各警備対象の警備モードを設定する操作部と、前記操作部にて設定された警備モードを前記監視センタに通信網を介して送信する制御手段を有し、
前記監視センタは、前記第１及び第２の警備装置からの警備モード信号を受信する受信手段と、前記第１の警備装置から警備開始信号を受信すると起動する計時手段と、前記計時手段が所定時間の計時を行っている間に前記第２の警備装置から警備解除信号を受信したか否かを判定する制御手段を有したことを特徴とする警備システム。
【発明の詳細な説明】
【技術分野】
【０００１】
本発明は、警備対象施設間を移動する移動者に発生した異常を検知する警備システムに関する。
【背景技術】
【０００２】
従来、事業所や一般家屋等の警備対象施設に火災や侵入等の異常を検知するセンサと警備装置を設置し、警備対象施設に発生した異常を遠隔の監視センタに送信し、監視センタにて遠隔監視を行なう警備システムが普及している。
これらの警備システムは、主として警備対象の施設である建物及び建物の周囲または建物内部の人の安全を監視するもので、警備対象施設から外出した人の安全を監視するものではない。
しかし、例えば、商店等において売上金を店舗外に設けられた夜間金庫や入金機にて入金処理する場合など、人が警備領域から外に出たときの安全を監視したい場合がある。
また、勤務先から自宅へ帰宅する際に異常事態が発生した場合にこれを検知して対処を行ないたい場合がある。
移動者の安全を監視するためのシステムとして、移動者に位置情報が検知できる通信端末を所持してもらい、予め設定して登録したル−トを逸脱した場合に異常状態の発生を検知する移動者安全確認装置が提案されている。
【０００３】
【特許文献１】特許公開番号２００１−７６２８９号
【発明の開示】
【発明が解決しようとする課題】
【０００４】
しかしながら、特許文献１記載の移動者安全確認装置では、移動者が位置情報通信端末を所持する必要がある。
【０００５】
そこで本発明は、従来の警備システムを活用して、移動者の安全を確認することができる警備システムを提供する。
【課題を解決するための手段】
【０００６】
上記目的を達成するために、第１の発明による警備システムは、第１の警備対象に設けられた第１の警備装置と第２の警備対象に設けられた第２の警備装置と、これらの警備装置を監視する監視センタからなる警備システムにおいて、前記第１の警備装置は、対象者が外出する際に行なう操作あるいは対象者の外出動作を検知する外出検知手段と、当該対象者のＩＤを読み取るＩＤ読取手段と、当該対象者の行先を設定する行先設定手段と、前記対象者が外出する際に、行先情報とＩＤ情報を通信網を介して前記監視センタに送信する制御手段とを有し、前記第２の警備装置は、対象者のＩＤを読み取るＩＤ読取手段と、前記ＩＤ読取手段にて当該対象者のＩＤを読みとると該対象者のＩＤ情報を通信網を介して前記監視センタに送信する送信手段とを有し、前記監視センタは、前記第１の警備装置及び前記第２の警備装置からの信号を受信する受信手段と、前記第１の警備装置から対象者の行先情報とＩＤ情報を受信すると起動する計時手段と、前記計時手段が所定時間の計時を行っている間に前記第２の警備装置から当該対象者のＩＤ情報を受信したか否かを判定する制御手段を有する。
【０００７】
上記目的を達成するために、第２の発明による警備システムは、第１の警備対象に設けられた第１の警備装置と第２の警備対象に設けられた第２の警備装置と、これらの警備装置を監視する監視センタからなる警備システムにおいて、前記第１及び第２の警備装置は、各警備対象の警備モードを設定する操作部と、前記操作部にて設定された警備モードを前記監視センタに通信網を介して送信する制御手段を有し、前記監視センタは、前記第１及び第２の警備装置からの警備モード信号を受信する受信手段と、前記第１の警備装置から警備開始信号を受信すると起動する計時手段と、前記計時手段が所定時間の計時を行っている間に前記第２の警備装置から警備解除信号を受信したか否かを判定する制御手段を有する。
【発明の効果】
【０００８】
本発明の警備システムによれば、複数の建物に導入された各警備システムを活用して、移動者の安全を確認することができる。
【発明を実施するための最良の形態】
【０００９】
以下、本発明による警備システムの実施の形態について図面を参照して具体的に説明する。
【００１０】
図１は、本発明の警備システムの全体構成を示す図である。本発明の警備システムは、監視対象である店舗Ａに配置された警備装置１Ａと、同じく監視対象である入金機ブースＢに配置された警備装置１Ｂと、同じく監視対象である自宅Ｃに配置された警備装置１Ｃと、通信網２を介して警備装置１Ａ、１Ｂ、１Ｃと接続し監視対象の異常・正常を監視している監視センタ３及び監視対象者等が所持する携帯電話４から構成される。
【００１１】
図２は警備装置１の機能ブロック図である。
監視対象である店舗Ａの内部には、警備装置１Ａが設置されている。警備装置１Ａは店舗Ａの侵入異常等を検出するため店内の所定箇所に配置された図示しないセンサの検知信号を受信するためのセンサＩ／Ｆ１５と、外出先を設定したり警備装置１Ａの警備モードを警備開始（セット）や警備終了（解除）を設定する操作部１２と、警備対象者の外出を検知するための外出検知部１３と、警備装置１Ａの現在の警備状態や操作方法をガイダンスするための表示部１４と、通信回線２を介して異常信号や警備モード信号、外出情報、ＩＤ情報および外出先情報等を遠隔の監視センタ３に送信し、監視センタ３からの制御信号等を受信するための送受信部１６と、警備装置１Ａの識別コードや対象者のＩＤコード、外出先情報等が記憶されている記憶部１７と、対象者が所持するＲＦ−ＩＤやＩＣカードと通信して読み取るためのＩＤ読取部１８と、センサの検出信号を受信したとき現在設定されている警備モードに応じて異常・正常を判断して異常と判断したときには異常信号を、また操作部１２により警備モードが設定されたときのモード信号（例えばセット信号や解除信号）や、対象者の外出を検知したときに送受信部１６から監視センタ３に送信する制御部１１が配置されている。
なお、操作部１２は操作ボタンや液晶タッチパネルで構成されている。表示部１４は液晶ディスプレーやＬＥＤやブザー等で構成されている。
外出検知部１３は監視対象者自らが外出する際に操作する操作ボタンの操作を検知したり出入り口を通過する人を検知するセンサ等で構成されている。
入金機ブースＢに配置された警備装置１Ｂ及び自宅Ｃに配置された警備装置Ｃついても同様の構成である。
【００１２】
図３は監視センタ３の機能ブロック図である。
監視センタ３は、管制員が操作入力を行なうためのキーボード等で構成された操作部３２と、ＣＲＴや液晶ディスプレーで構成された表示部３３と、警備装置１Ａ〜１Ｃからの異常信号やモード信号、監視対象者の外出先情報、ＩＤ情報を通信網２を介して受信し、また警備装置１に制御信号を送信する送受信部３４と、警備装置１Ａ〜１Ｃの警備モード、現在の正常・異常の状態、監視対象者の外出先情報、移動所要時間、緊急連絡先などを記憶する記憶部３５と、監視対象者の外出先情報を受信すると所定時間計時し、所定時間計時したときまでに外出先の警備装置１ＢからＩＤ情報を受信しない場合には異常と判定する制御部３１とを有して構成される。
【００１３】
本発明の警備システムの動作について図４から図６を参照して説明する。
まず、図４を参照して、警備装置１Ａでの対象者が外出するときの制御部１１のフローを説明する。
【００１４】
店舗Ａの監視対象者である店員（対象者）は、ＩＤ情報が記憶されたＩＤカードを所持している。対象者は警備装置１Ａの操作部１２にて外出先である警備装置１Ｂが設置されている入金機ブースＢを指定する。この外出先は予め登録され記憶部１７に記憶させて、表示部１４に表示させて選択するが、これに限らず、対象者が外出の都度、行先の識別コードを入力するようにしてもよい。
【００１５】
制御部１１は対象者による外出先の指定操作があれば、対象者の外出を検知する（ステップＳ００１：ＹＥＳ）。また、対象者が操作部１２にて外出先を指定しないで外出しようとした場合には、出入口に設置された図示しないセンサにより検知する。
外出検知がされると、制御部１１は外出しようとしている対象者のＩＤを認証しているか否かを判定する（ステップＳ００２）。ステップＳ００１にて、対象者が自ら外出先の設定操作を行なう際にＩＤ認証を行なっている場合には、ＹＥＳとなる。ステップ００１にて対象者が外出先指定操作をせずに外出しようとしているときには、対象者のＩＤコードが認証されていない可能性があるので、その場合には、対象者に表示部１４にてＩＤ照合を行なうように表示する（ステップＳ００３）。
【００１６】
次に、制御部１１は、対象者の外出先が設定されているか否かを判定する（ステップＳ００４）。ステップＳ００１にて、対象者が自ら外出先の設定操作を行なっている場合には、ＹＥＳとなる。ステップ００１にて対象者が外出先指定操作をせずに外出しようとしているときには、対象者に表示部１４にて外出先を設定するように表示する（ステップＳ００５）。
次に、制御部１１は対象者の外出先情報（外出先の警備装置１Ｂの識別コード）及び対象者のＩＤコードを通信網２を介して監視センタ３に送信する。
【００１７】
次に、図５を参照して入金機ブースＢにおける警備装置１Ｂの動作フローを説明する。
対象者は、外出先である入金機ブ−スＢに到着すると、警備装置１ＢのＩＤ読取部１８にＩＤカードを読み取らせる（ステップＳ１０１）。警備装置１Ｂでは、読み取ったＩＤを認証すると対象者が入館できるように扉の制御等を行なう（ステップＳ１０２）。
次に、警備装置１Ｂは、対象者が入館したことを示す信号と対象者のＩＤコードを監視センタ３に送信する（ステップＳ１０３）。
【００１８】
次に、図６を参照して監視センタ３の制御部３１の動作フローを説明する。
制御部３１は送受信部３４を介して店舗Ａの警備装置１Ａからの対象者のＩＤコードと外出先情報を受信する（ステップＳ２０１）。
制御部３１は、記憶部３５から警備装置１Ａが設置されている店舗Ａから外出先である警備装置１Ｂが設置されている入金機ブースＢまでの所要時間を読み出して制御部１１の計時手段に当該所要時間を設定する（ステップＳ２０２）。この所要時間は、記憶部３５に予め設定登録しているが、これに限らず、警備装置１Ａと警備装置１Ｂの位置情報（離間距離）から算出するようにしてもよい。また、警備装置１Ａから、対象者がその都度所要時間を入力して、監視センタ３に送信するようにしてもよい。
【００１９】
次に、制御部３１は設定した所要時間の計時を開始する（ステップＳ２０３）。
制御部３１は計時中に警備装置１Ｂから対象者の入館情報を受信するか否かを監視する（ステップＳ２０４）。
計時中に警備装置１Ｂから対象者の入館情報（ＩＤコード）を受信した場合は、対象者が所定時間以内に無事に移動を終了したものとして、計時動作を停止して（ステップＳ２０５）処理を終了する。
計時中に警備装置１Ｂから対象者の入館情報（ＩＤコード）を受信せずにタイムアップしたとき（ステップＳ２０６：ＹＥＳ）には、対象者が移動中に何らかの異常事態が発生したものとして表示部３３に異常表示を行なう。
監視センタ３の管制員は、表示部３３にて異常情報が表示されると所定の対処員に適切な対処を指示する。
【００２０】
次に、図７を参照して第２の発明の警備システムである監視センタ３の制御部３１の動作フローを説明する。第２の発明である警備システムは、例えば店舗Ａのオーナーが最終者となり店舗Ａの警備モードをセットにするための操作を行い、当該オーナーが自宅（ホームセキュリティを導入しているので警備装置Ｃが配置されている。）に戻るまでの時間管理を行う場合を想定している。
【００２１】
制御部３１は送受信部３４を介して店舗Ａの警備装置１Ａからセット（警備開始）信号を受信する（ステップＳ３０１）。
制御部３１は、記憶部３５から警備装置１Ａのセット操作者である監視対象者の自宅Ｃまでの所要時間を読み出して制御部１１の計時手段に当該所要時間を設定する（ステップＳ３０２）。この所要時間は、記憶部３５に予め設定登録しているが、これに限らず、警備装置１Ａと警備装置１Ｃの位置情報（離間距離）からその都度算出するようにしてもよい。また、警備装置１Ａから、対象者がその都度所要時間を入力して、監視センタ３に送信するようにしてもよい。
【００２２】
次に、制御部３１は設定した所要時間の計時を開始する（ステップＳ３０３）。
制御部３１は計時中に警備装置１Ｃから対象者の入館情報である警備解除信号を受信するか否かを監視する（ステップＳ３０４）。
計時中に警備装置１Ｃから警備解除信号を受信した場合は、対象者が所定時間以内に無事に帰宅したものとして、計時動作を停止して（ステップＳ３０５）処理を終了する。
計時中に警備装置１Ｃから警備解除信号を受信せずにタイムアップしたとき（ステップＳ３０６：ＹＥＳ）には、対象者が帰宅中に何らかの異常事態が発生したものとして表示部３３に異常表示を行なう。
監視センタ３の管制員は、表示部３３にて異常情報が表示されると所定の対処員に適切な対処を指示する。
【図面の簡単な説明】
【００２３】
【図１】本発明の移動者管理システムの全体構成を示す図
【図２】警備装置の機能ブロック図
【図３】監視センタの機能ブロック図
【図４】警備装置１Ａの動作フロー図
【図５】警備装置１Ｂの動作フロー図
【図６】第１の発明の監視センタの動作フロー図
【図７】第２の発明の監視センタの動作フロー図
【符号の説明】
【００２４】
１Ａ、１Ｂ、１Ｃ・・・警備装置
２・・・通信網
３・・・監視センタ
３１・・・制御部
【図１】
2006018526.tif 000003
【図２】
2006018526.tif 000004
【図３】
2006018526.tif 000005
【図４】
2006018526.tif 000006
【図５】
2006018526.tif 000007
【図６】
2006018526.tif 000008
【図７】
2006018526.tif 000009